(57)【要約】【課題】  梁部材と柱部材とが相対変位しにくい状態で、簡便に設置できるようにする。【解決手段】  設置状態で略扁平な梁下端面１ａを備えた金属製梁部材１と、設置状態で略扁平な柱上端面２ａを備えた柱部材２とを、梁部材から柱部材に荷重が伝達されるように接続するために、梁下端面と柱上端面との間に設置する接続用構造物Ａであって、  金属製筒体８の両端部に金属製上部板材９と金属製下部板材１０とを夫々固定して、上部板材と下部板材とを上下に位置させた姿勢で、梁下端面と柱上端面との間に設置可能に設け、筒体の筒軸芯Ｘを柱部材の軸芯に沿わせた設置状態で、上部板材を、その上向き面１２が梁下端面に対して面接触する状態で、梁部材に固定可能に設けるとともに、下部板材を、その下向き面１４が柱上端面に対して面接触する状態で、柱部材に固定可能に設けてある。【選択図】        図１
2006124987.tif 000002
【特許請求の範囲】
【請求項１】
設置状態で略扁平な梁下端面を備えた金属製梁部材と、設置状態で略扁平な柱上端面を備えた柱部材とを、前記梁部材から前記柱部材に荷重が伝達されるように接続するために、前記梁下端面と前記柱上端面との間に設置する接続用構造物であって、
金属製筒体の両端部に金属製上部板材と金属製下部板材とを夫々固定して、前記上部板材と前記下部板材とを上下に位置させた姿勢で、前記梁下端面と前記柱上端面との間に設置可能に設け、
前記筒体の筒軸芯を前記柱部材の軸芯に沿わせた設置状態で、前記上部板材を、その上向き面が前記梁下端面に対して面接触する状態で、前記梁部材に固定可能に設けるとともに、前記下部板材を、その下向き面が前記柱上端面に対して面接触する状態で、前記柱部材に固定可能に設けてある接続用構造物。
【請求項２】
設置状態で傾斜している前記梁下端面に対して前記上向き面が面接触する状態で、前記上部板材を前記梁部材に固定可能に設けてある請求項１記載の接続用構造物。
【請求項３】
前記梁部材が、設置状態で上下方向に沿うウェブ部と設置状態で前記梁下端面を形成するフランジ部とを備えたものであり、
前記筒体の内側に、前記上部板材と前記下部板材とに亘って荷重を伝達可能な第１補強板材を、前記設置状態で前記上部板材を挟んで前記ウェブ部の直下に沿って配置可能に固定してある請求項１又は２記載の接続用構造物。
【請求項４】
前記梁部材が、前記ウェブ部と前記フランジ部との相対角変位を阻止可能なリブ板部材を備えたものであり、
前記筒体の内側に、前記上部板材と前記下部板材とに亘って荷重を伝達可能な第２補強板材を、前記設置状態で前記上部板材を挟んで前記リブ板部材の直下に沿って配置可能に固定してある請求項１〜３のいずれか１項記載の接続用構造物。
【発明の詳細な説明】
【技術分野】
【０００１】
本発明は、設置状態で略扁平な梁下端面を備えた金属製梁部材と、設置状態で略扁平な柱上端面を備えた柱部材とを、前記梁部材から前記柱部材に荷重が伝達されるように接続するために、前記梁下端面と前記柱上端面との間に設置する接続用構造物に関する。
【背景技術】
【０００２】
上記接続用構造物は、梁部材から柱部材に伝達する荷重が圧縮力として作用するが、従来、梁下端面に開口するように梁部材に形成した複数の貫通孔の夫々に、柱上端面に固定してあるスタッドボルトを挿通し、梁部材を上下から挟むようにスタッドボルトに螺合した二個のナットで、梁部材を柱部材に固定して、梁部材から柱部材に荷重が伝達されるように接続するものがある（例えば、特許文献１参照）。
【０００３】
【特許文献１】特許第３１１８２０７号公報
【発明の開示】
【発明が解決しようとする課題】
【０００４】
上記従来の接続用構造物は、複数のスタッドボルトを柱上端面に固定して、それらのスタッドボルトの夫々に螺合してある二個のナットを介して、梁部材から柱部材に荷重が伝達されるように接続するので、梁部材からの荷重が各スタッドボルトに略均等な圧縮力として作用するように梁部材を固定しにくいとともに、スタッドボルトが曲げモーメントを受けて変形し易く、梁部材と柱部材とが相対変位し易い欠点がある。
特に、梁下端面が柱部材の軸芯に対して傾斜しているような場合は、梁下端面がナットに対して片当たりして、スタッドボルトが一層曲げ変形し易いとともに、梁下端面のナットに対する片当たり箇所に支持反力が集中的に作用して梁部材も変形し易く、梁部材と柱部材とが一層相対変位し易い欠点がある。
これらの欠点を解決するために、例えば、梁下端面と柱上端面との間にモルタルを充填して、梁下端面が柱部材の軸芯に対して傾斜していても、梁下端面と柱上端面との対向部位に略全面に亘って密着しているモルタルを介して、梁部材から柱部材に荷重が伝達されるように接続することも考えられるが、この場合は、接続現場でのモルタル充填作業やモルタルの養生期間が必要で、設置に手間と時間が掛かる欠点がある。
本発明は上記実情に鑑みてなされたものであって、梁部材と柱部材とが相対変位しにくい状態で、簡便に設置できるようにすることを目的とする。
【課題を解決するための手段】
【０００５】
本発明の第１特徴構成は、設置状態で略扁平な梁下端面を備えた金属製梁部材と、設置状態で略扁平な柱上端面を備えた柱部材とを、前記梁部材から前記柱部材に荷重が伝達されるように接続するために、前記梁下端面と前記柱上端面との間に設置する接続用構造物であって、金属製筒体の両端部に金属製上部板材と金属製下部板材とを夫々固定して、前記上部板材と前記下部板材とを上下に位置させた姿勢で、前記梁下端面と前記柱上端面との間に設置可能に設け、前記筒体の筒軸芯を前記柱部材の軸芯に沿わせた設置状態で、前記上部板材を、その上向き面が前記梁下端面に対して面接触する状態で、前記梁部材に固定可能に設けるとともに、前記下部板材を、その下向き面が前記柱上端面に対して面接触する状態で、前記柱部材に固定可能に設けてある点にある。
【０００６】
〔作用及び効果〕
曲げ剛性や座屈強度を確保し易い金属製筒体の両端部に、金属製上部板材と金属製下部板材とを夫々固定して、上部板材と下部板材とを上下に位置させた姿勢で、梁下端面と柱上端面との間に設置可能に設けてあるので、梁部材から柱部材に伝達する荷重が圧縮力として作用した際の変形を容易に抑制できる。
また、筒体の筒軸芯を柱部材の軸芯に沿わせた設置状態で、上部板材を、その上向き面が梁下端面に対して面接触する状態で、梁部材に固定可能に設けるとともに、下部板材を、その下向き面が柱上端面に対して面接触する状態で、柱部材に固定可能に設けてあるので、梁下端面と柱上端面との対向部位間に略全面に亘って密着するように設置して、梁部材から柱部材に荷重を伝達することができ、梁部材と柱部材とが相対変位しにくい。
従って、梁部材と柱部材とが相対変位しにくい状態で、梁下端面と柱上端面との間にモルタルを充填するようなこともなく、簡便に設置できる。
【０００７】
本発明の第２特徴構成は、設置状態で傾斜している前記梁下端面に対して前記上向き面が面接触する状態で、前記上部板材を前記梁部材に固定可能に設けてある点にある。
【０００８】
〔作用及び効果〕
設置状態で傾斜している梁下端面に対して上向き面が面接触する状態で、上部板材を梁部材に固定可能に設けてあるので、梁下端面が柱部材の軸芯に対して傾斜しているような場合でも、梁下端面と柱上端面との対向部位間に略全面に亘って密着するように設置して、梁部材と柱部材とが相対変位しにくい状態で、簡便に設置できる。
【０００９】
本発明の第３特徴構成は、前記梁部材が、設置状態で上下方向に沿うウェブ部と設置状態で前記梁下端面を形成するフランジ部とを備えたものであり、前記筒体の内側に、前記上部板材と前記下部板材とに亘って荷重を伝達可能な第１補強板材を、前記設置状態で前記上部板材を挟んで前記ウェブ部の直下に沿って配置可能に固定してある点にある。
【００１０】
〔作用及び効果〕
梁部材が、設置状態で上下方向に沿うウェブ部と設置状態で梁下端面を形成するフランジ部とを備えたものであり、筒体の内側に、上部板材と下部板材とに亘って荷重を伝達可能な第１補強板材を、設置状態で上部板材を挟んでウェブ部の直下に沿って配置可能に固定してあるので、梁部材からの荷重を、筒体に加えて、ウェブ部直下の第１補強板材で受け止めて、筒体の変形を防止しながら、柱部材に効率良く伝達することができる。
【００１１】
本発明の第４特徴構成は、前記梁部材が、前記ウェブ部と前記フランジ部との相対角変位を阻止可能なリブ板部材を備えたものであり、前記筒体の内側に、前記上部板材と前記下部板材とに亘って荷重を伝達可能な第２補強板材を、前記設置状態で前記上部板材を挟んで前記リブ板部材の直下に沿って配置可能に固定してある点にある。
【００１２】
〔作用及び効果〕
梁部材が、ウェブ部とフランジ部との相対角変位を阻止可能なリブ板部材を備えたものであり、筒体の内側に、上部板材と下部板材とに亘って荷重を伝達可能な第２補強板材を、設置状態で上部板材を挟んでリブ板部材の直下に沿って配置可能に固定してあるので、梁部材からの荷重を、筒体と第１補強板材とに加えて、リブ板部材直下の第２補強板材で受け止めて、筒体の変形を防止しながら、柱部材に一層効率良く伝達することができる。
【発明を実施するための最良の形態】
【００１３】
以下に本発明の実施の形態を図面に基づいて説明する。
〔第１実施形態〕
図１，図２は本発明による接続用構造物Ａを使用して、設置状態で略扁平な梁下端面１ａを備えた金属製梁部材１と、設置状態で略扁平な柱上端面２ａを備えた柱部材２とを、梁部材１から柱部材２に荷重が伝達されるように接続してある接続構造を示し、接続用構造物Ａを梁下端面１ａと柱上端面２ａとの間に設置してある。
【００１４】
前記梁部材１は、設置状態で上下方向に沿うウェブ板部３と、設置状態で略水平方向に沿う上下のフランジ板部４，５とを一体に備えたＨ形鋼で構成して、略扁平で、かつ、略水平な梁下端面１ａを下部フランジ板部５の下面で形成してある。
【００１５】
そして、ウェブ板部３と上下フランジ板部４，５との相対角変位を阻止可能な略四角形の鋼製リブ板部材６を、ウェブ板部３を挟む両側に、ウェブ板部３と上下フランジ板部４，５とに対して略直交する姿勢で溶接で一体に固定し、左右の補助梁部材（図外）を直角にボルト連結するための連結部６ａを各リブ板部材６に延設してある。
【００１６】
前記柱部材２は、遠心成形で中空円筒状に形成してあるプレキャストコンクリート製で、軸芯を略鉛直に沿わせて立設してあり、プレストレスを付与するための円形の鋼製頂板７ａと鋼製円筒体７ｂとを一体に溶接してあるキャップ７を上端部に一体に固定して、このキャップ７の頂板上面が、設置状態で略扁平で、かつ、略水平な柱上端面２ａを形成している。
【００１７】
前記接続用構造物Ａは、図３，図４に示すように、外径が下部フランジ板部５の幅よりも大径で、かつ、キャップ７の頂板７ａの外径よりも小径で、両端面を筒軸芯Ｘに対して直交する方向に沿って形成してある鋼製円筒体８の両端部に、鋼製上部板材９と鋼製下部板材１０とを、筒軸芯Ｘに直交する姿勢で、夫々溶接で互いに平行に一体に固定して、上部板材９と下部板材１０とを上下に位置させた姿勢で、梁下端面１ａと柱上端面２ａとの間に設置可能に設けてある。
【００１８】
前記上部板材９は、図３に示すように、下部フランジ板部５の幅と略同幅で互いに平行な一対の直線状側辺部９ａと、両直線状側辺部９ａの間で互いに対向する一対の台形状側辺部９ｂとを備えた形状に形成して、円筒体８を全周に亘って隅肉溶接できるように構成してある。
【００１９】
そして、上部板材９のうちの、円筒体８を挟む位置で下部フランジ板部５に重ねる部位の夫々にボルト連結用の貫通孔１１を形成して、図１，図２に示すように、円筒体８の筒軸芯Ｘを柱部材２の軸芯に沿わせた設置状態で、上部板材９を、その上向き面１２が梁下端面１ａに対して面接触する状態で、梁部材１にボルト・ナット１３で固定可能に設けてある。
【００２０】
前記下部板材１０は、図４に示すように、円筒体８の外径よりも大径で、かつ、キャップ７の頂板７ａの外径よりも小径の円形に形成して、図１，図２に示すように、円筒体８の筒軸芯Ｘを柱部材２の軸芯に同芯状に沿わせた設置状態で、その全周を頂板７ａに隅肉溶接して、その下向き面１４が柱上端面２ａに対して面接触する状態で、柱部材２に固定可能に設けてある。
【００２１】
また、円筒体８の内側に、上部板材９と下部板材１０とに亘って荷重を伝達可能な鋼製の第１補強板材１５と鋼製の第２補強板材１６とを、板面が筒軸芯Ｘに沿う状態で、筒径方向に直交するように配置して、溶接で一体に固定してある。
【００２２】
前記第１補強板材１５は、筒軸芯Ｘを挟んで筒径方向に互いに対向する部位の円筒体８と下部板材１０とに夫々溶接するとともに、上部板材９に対してはメタルタッチ状態で設けて、設置状態で上部板材９を挟んでウェブ板部３の直下に沿って、いわゆる目違いが生じないように配置可能に固定してある。
【００２３】
前記第２補強板材１６は、第１補強板材１５の左右両側に直交するように配置して、第１補強板材１５と円筒体８と下部板材１０とに夫々溶接するとともに、上部板材９に対してはメタルタッチ状態で設けて、設置状態で上部板材９を挟んで各リブ板部材６の直下に沿って、いわゆる目違いが生じないように配置可能に固定してある。
【００２４】
〔第２実施形態〕
図５は本発明による接続用構造物Ａの別実施形態を示し、設置状態で傾斜している梁下端面１ａに対して上部板材９の上向き面１２が面接触する状態で、その上部板材９を梁部材１に固定可能に設けてある。
【００２５】
つまり、梁部材１は、設置状態で上下方向に沿うウェブ板部３と、設置状態で上下方向に傾斜している上下のフランジ板部４，５とを一体に備えたＨ形鋼で構成して、略扁平で、かつ、梁長手方向に沿って傾斜している梁下端面１ａを下部フランジ板部５の下面で形成してある。
【００２６】
そして、接続用構造物Ａを、筒軸芯Ｘに対して直交する方向に沿って形成してある直交端面１７と、梁下端面１ａの鉛直に対する傾斜角θと同じ角度で筒軸芯Ｘに対して傾斜する方向に沿って形成してある傾斜端面１８とを備えた円筒体８の、傾斜端面１８側に上部板材９を溶接で一体に固定して、上部板材９と下部板材１０とを上下に位置させた姿勢で、梁下端面１ａと柱上端面２ａとの間に設置可能に設けてある。
その他の構成は第１実施形態と同様である。
【００２７】
〔その他の実施形態〕
１．本発明による接続用構造物は、角筒状の筒体の両端部に上部板材と下部板材とを夫々固定してあっても良い。
２．本発明による接続用構造物は、隙間を埋めるライナー板などを挟んで、梁下端面と柱上端面との間に設置するものであっても良い。
３．本発明による接続用構造物は、梁部材や柱部材に対して、ボルト連結によって固定可能に設けてあっても、溶接によって固定可能に設けてあっても良い。
４．本発明による接続用構造物は、筒体の両端部に上部板材と下部板材とをボルト・ナットで夫々固定して構成してあっても良い。
５．本発明による接続用構造物は、圧延形鋼や組み立て形鋼で構成した梁部材と、柱部材とを接続するために、梁下端面と柱上端面との間に設置するものであっても良い。
６．本発明による接続用構造物は、梁部材と、圧延形鋼や組み立て形鋼で構成した柱部材とを接続するために、梁下端面と柱上端面との間に設置するものであっても良い。
７．本発明による接続用構造物は、梁部材と、軸芯が鉛直に対して傾斜する状態で設けてある柱部材とを接続するために設置するものであっても良い。
８．本発明による接続用構造物で接続する柱部材は、上部が地上側に柱状に突出するように埋設してある杭であっても良い。
【図面の簡単な説明】
【００２８】
【図１】接続用構造物の設置状態を示す一部断面側面図
【図２】接続用構造物の設置状態を示す一部断面側面図
【図３】図１のＩ−Ｉ線矢視図
【図４】図１のII−II線矢視図
【図５】第２実施形態を示す一部断面側面図
【符号の説明】
【００２９】
１    梁部材
１ａ  梁下端面
２    柱部材
２ａ  柱上端面
３    ウェブ部
５    フランジ部
６    リブ板部材
８    筒体
９    上部板材
１０  下部板材
１２  上向き面
１４  下向き面
１５  第１補強板材
１６  第２補強板材
Ａ    接続用構造物
Ｘ    筒軸芯
【図１】
2006124987.tif 000003
【図２】
2006124987.tif 000004
【図３】
2006124987.tif 000005
【図４】
2006124987.tif 000006
【図５】
2006124987.tif 000007